(57)【要約】【課題】光源から発せられる光を有効に利用することが可能な車両用灯具を提供する。【解決手段】光源３１を有する光源部材２１と、光源３１から発せられた光の一部を灯具前方へ略平行光として反射する第１反射面４１を有する第１リフレクタ２２と、第１リフレクタ２２に設けられ、光源部材２１が挿入されている絶縁開口部４２と、光源３１の前方に配置され、光源３１から発せられた光の一部が直接入射される投影レンズ２４と、灯具前後方向において絶縁開口部４２と光源３１との間に配置され、光源３１から発せられた光の一部を投影レンズ２４に向けて反射する第２反射面４５を有する第２リフレクタ２５と、を備える。【選択図】図１
2015022961.tif 000002
【特許請求の範囲】
【請求項１】
光源を有する光源部材と、
前記光源から発せられた光の一部を灯具前方へ略平行光として反射する第１反射面を有する第１反射部材と、
前記第１反射部材に設けられ、前記光源部材が挿入されている絶縁開口部と、
前記光源の前方に配置され、前記光源から発せられた光の一部が直接入射される投影レンズと、
灯具前後方向において前記絶縁開口部と前記光源との間に配置され、前記光源から発せられた光の一部を前記投影レンズに向けて反射する第２反射面を有する第２反射部材と、
を備える、車両用灯具。
【請求項２】
前記投影レンズは後方焦点を有し、
前記第２反射面は、前記光源から発せられて前記第２反射面によって反射された光が前記投影レンズの後方焦点を通過せずに前記投影レンズに入射するように形成されている、請求項１に記載の車両用灯具。
【請求項３】
前記投影レンズは後方焦点を有し、
前記投影レンズの後方焦点は、前記光源から発せられて前記第１反射面が反射した略平行光と略平行であり前記光源を通過する仮想線よりも下方側に配置されている、請求項１または２に記載の車両用灯具。
【請求項４】
前記光源部材の前記光源は、ロービーム用の光源である第１光源を含み、
前記第１反射面は、前記第１光源から発せられた光の一部を反射して灯具前方にロービーム配光パターンを形成可能であり、
前記第２反射面は、前記ロービーム配光パターンのカットオフラインより下方に光が照射されるように、前記第１光源から発せられた光の一部を前記投影レンズに向けて反射する、請求項１から３のいずれか一項に記載の車両用灯具。
【請求項５】
灯具を前方から見て、前記第２反射面の内周部は、前記絶縁開口部の外周部よりも内側に形成されている、請求項１から４のいずれか一項に記載の車両用灯具。
【発明の詳細な説明】
【技術分野】
【０００１】
本発明は、光源とリフレクタとを有する車両用灯具に関するものである。
【背景技術】
【０００２】
従来、回転放物面を含む凹面鏡と、凹面鏡の回転放物面の頂部付近に取り付けられる光源バルブと、光源バルブの前方に配置された凸レンズと、を有する自動車用前照灯が知られている（特許文献１参照）。
【０００３】
特許文献１に記載の構成では、光源バルブから発せられた光の一部は、凹面鏡により反射されて灯具前方に照射される。また、光源バルブから発せられた光の他の一部は、凸レンズの入射面に直接入射されて、灯具前方に照射される。
【先行技術文献】
【特許文献】
【０００４】
【特許文献１】実公平６−３５２８６号公報
【発明の概要】
【発明が解決しようとする課題】
【０００５】
特許文献１に記載の構成では、光源バルブは、凹面鏡の頂部付近に設けられた取付穴に取り付けられている。この構成では、光源バルブから発せられた光のうち取付穴の近傍に向けて発せられた光を、灯具前方を照射する光として有効に利用することが難しかった。
【０００６】
本発明の目的は、光源から発せられる光を有効に利用することが可能な車両用灯具を提供することである。
【課題を解決するための手段】
【０００７】
上記課題を解決することのできる本発明の車両用灯具は、
光源を有する光源部材と、
前記光源から発せられた光の一部を灯具前方へ略平行光として反射する第１反射面を有する第１反射部材と、
前記第１反射部材に設けられ、前記光源部材が挿入されている絶縁開口部と、
前記光源の前方に配置され、前記光源から発せられた光の一部が直接入射される投影レンズと、
灯具前後方向において前記絶縁開口部と前記光源との間に配置され、前記光源から発せられた光の一部を前記投影レンズに向けて反射する第２反射面を有する第２反射部材と、
を備える。
【０００８】
上記構成の車両用灯具によれば、絶縁開口部と光源との間に配置され、光源から発せられた光の一部を投影レンズに向けて反射する第２反射面を設けたことにより、これまで照明光として利用することが困難であった光源の取付箇所近傍に向けて発せられる光を照明光として有効利用することができる。
【０００９】
本発明の車両用灯具において、前記投影レンズは後方焦点を有し、前記第２反射面は、前記光源から発せられて前記第２反射面によって反射された光が前記投影レンズの後方焦点を通過せずに前記投影レンズに入射するように形成されていることが好ましい。このため、これまで有効利用されていなかった光源の取付箇所近傍に向けて発せられる光を、灯具前方の広範囲を照らす光として有効利用することができる。
【００１０】
本発明の車両用灯具において、前記投影レンズは後方焦点を有し、前記投影レンズの後方焦点は、前記光源から発せられて前記第１反射面が反射した略平行光と略平行であり前記光源を通過する仮想線よりも下方側に配置されていることが好ましい。上記構成の車両用灯具によれば、光源から発せられる光の一部は、投影レンズの後方焦点の上方を通過して投影レンズに直接入射される。このように入射された光は、投影レンズから下方側に向けて出射されるため、この出射光に起因するグレアの発生が抑制される。
【００１１】
本発明の車両用灯具において、前記光源部材の前記光源は、ロービーム用の光源である第１光源を含み、前記第１反射面は、前記第１光源から発せられた光の一部を反射して灯具前方にロービーム配光パターンを形成可能であり、前記第２反射面は、前記ロービーム配光パターンのカットオフラインより下方に光が照射されるように、前記第１光源から発せられた光の一部を前記投影レンズに向けて反射することが好ましい。上記構成の車両用灯具によれば、以前では、灯具前方を照射する光として有効利用できていなかった光源の取付箇所近傍に向けて発せられる光の多くを、ロービーム配光パターンを形成する光として有効利用することができる。
【００１２】
本発明の車両用灯具において、灯具を前方から見て、前記第２反射面の内周部は、前記絶縁開口部の外周部よりも内側に形成されていることが好ましい。上記構成の車両用灯具によれば、以前では、灯具前方を照射する光として有効利用できていなかった光源の取付箇所近傍に向けて発せられる光の多くを、灯具前方を照射する光として有効利用しやすくなる。
【発明の効果】
【００１３】
本発明によれば、光源から発せられる光を有効に利用することが可能な車両用灯具を提供できる。
【図面の簡単な説明】
【００１４】
【図１】本発明の実施形態に係る車両用灯具の断面図である。
【図２】図１におけるＡ−Ａ線断面図である。
【図３】車両用灯具における光路を示す図であって、（ａ）は概略横断面図、（ｂ）は図２における概略Ｂ−Ｂ線縦断面図である。
【発明を実施するための形態】
【００１５】
以下、本発明に係る車両用灯具の実施の形態の例を、図面を参照して説明する。
図１は、本発明の実施形態に係る車両用灯具の断面図である。また、図２は、図１におけるＡ−Ａ線断面図である。
【００１６】
図１及び図２に示すように、本実施形態に係る車両用灯具１０は、前方に開口部１１ａを有するランプボディ１１と、このランプボディ１１の開口部１１ａを塞ぐように取り付けられる光透過性のアウターカバー１２と、灯具ユニット１３とを備えている。本例の車両用灯具１０は、二輪車の前照灯として用いられるもので、二輪車の車両の前部に設けられて車両前方へ光を照射する灯具である。
【００１７】
なお、本例において、前方とは、車両用灯具１０におけるアウターカバー１２側（図１の左方向）であり、後方とは、前方と反対側（図１の右方向）である。
【００１８】
アウターカバー１２は、ランプボディ１１に固定されて取り付けられる。このアウターカバー１２をランプボディ１１に取り付けることで、車両用灯具１０に灯室Ｓが形成されている。そして、この灯室Ｓ内に、灯具ユニット１３が収容されている。
【００１９】
灯具ユニット１３は、光源部材２１と、第１リフレクタ２２（第１反射部材の一例）と、投影レンズ２４と、第２リフレクタ２５（第２反射部材の一例）とを備える。光源部材２１は、第１リフレクタ２２に組み付けられている。第１リフレクタ２２、投影レンズ２４及び第２リフレクタ２５は、それぞれランプボディ１１に対して、直接またはステー（図示略）を介して支持されている。
【００２０】
光源部材２１は、光源３１と、光源取付部３２とを有している。光源３１は、例えば、ハロゲンバルブやディスチャージバルブ等のバルブであり、ガラス管３５と、光源であるフィラメント（第１光源の一例）３３とを有している。ガラス管３５は、筒状に形成されており、このガラス管３５内に、フィラメント３３が収容されている。ガラス管３５の灯具前方側にはブラックトップ３４が設けられている。
【００２１】
光源３１は、その基端側が光源取付部３２に固定されており、この光源取付部３２を介してフィラメント３３へ給電される。
【００２２】
第１リフレクタ２２は、回転放物面を基調として形成されており、光源部材２１の光源３１から発せられた光の一部を灯具前方へ略平行光として反射する第１反射面４１を有している。第１リフレクタ２２の中心には、絶縁開口部４２を含む光源支持部３０が形成されている。
【００２３】
光源支持部３０は、その内壁面が絶縁開口部４２を形成する固定筒部３６と、この固定筒部３６よりも大径の取付筒部３７と、固定筒部３６の前端と取付筒部３７の前端と連結する連結板部３８とを有している。固定筒部３６には、その後端側から光源３１を前方に向けて挿し込まれた光源取付部３２が嵌合されて固定される。そして、この光源支持部３０の固定筒部３６に光源取付部３２を嵌合させて固定することで、光源３１が灯室Ｓ内に配置される。このように、固定筒部３６の絶縁開口部４２には、光源部材２１の光源取付部３２が挿入されて嵌め込まれる。
【００２４】
このように、絶縁開口部４２に光源部材２１の光源取付部３２を嵌め込むことで、光源部材２１のガラス管３５が第１リフレクタ２２の後端部分より前方側に配置される。また、第１リフレクタ２２に絶縁開口部４２が形成されていることで、光源３１との絶縁が図られる。この第１リフレクタ２２は、フィラメント３３から発せられた光を反射し、カットオフラインを有するロービーム配光パターンを形成する。
【００２５】
投影レンズ２４は、光源３１の前方に配置されている。この投影レンズ２４は、後方側が僅かに凹状に形成された入射面２４ａとされ、前方側が凸形状のレンズ面２４ｂとされている。この投影レンズ２４には、光源３１から発せられた光の一部が入射面２４ａへ直接入射される。そして、この投影レンズ２４は、この入射面２４ａに入射した光をレンズ面２４ｂから出射させる。投影レンズ２４は、後方焦点Ｆを有している。この投影レンズ２４の後方焦点Ｆは、第１リフレクタ２２が反射する略平行光と略平行で光源３１を通過する仮想線Ｖよりも下方側に配置されている。
【００２６】
第２リフレクタ２５は、光源３１から発せられた光の一部を投影レンズ２４の入射面２４ａに向けて反射する第２反射面４５を有している。この第２リフレクタ２５は、中心に挿通孔４６を有する環状に形成されており、挿通孔４６には、光源３１が挿通される。この第２リフレクタ２５は、灯具前後方向において絶縁開口部４２と光源３１との間に配置される。第２リフレクタ２５の第２反射面４５の内周部４６ａは、灯具を前方から見て、絶縁開口部４２の内側に沿って、絶縁開口部４２の外周部４２ａよりも内側に形成されている。
【００２７】
第２リフレクタ２５の第２反射面４５は、前面側が僅かに凹状に形成されたもので、前面側が僅かに下方側へ傾けられている。第２リフレクタ２５は、第２反射面４５によって反射された光が投影レンズ２４の後方焦点Ｆを通過せずに、投影レンズ２４の入射面２４ａに入射するように光源３１から発せられた光を反射する。
【００２８】
ランプボディ１１と第１リフレクタ２２の光源支持部３０との間には、シール部材５０が設けられており、このシール部材５０によって、ランプボディ１１と光源支持部３０との間がシールされている。シール部材５０は、内側リング部５１、外側リング部５２及びシールリング部５３を備えている。これらの内側リング部５１、外側リング部５２及びシールリング部５３は、ゴムから一体成形されている。内側リング部５１及び外側リング部５２は、それぞれ環状に形成されており、外側リング部５２は、内側リング部５１よりも大径とされている。シールリング部５３は、シート状に形成されており、周方向にわたって内側リング部５１及び外側リング部５２に連結されている。シールリング部５３は、径方向に向かって複数箇所で湾曲されて折り返されている。
【００２９】
シール部材５０の内側リング部５１には、光源支持部３０の取付筒部３７が嵌め込まれている。これにより、内側リング部５１と光源支持部３０の取付筒部３７とが密着されてシールされている。また、シール部材５０の外側リング部５２には、ランプボディ１１に形成されて後方へ向かって突出する嵌合リング部１１ｂが嵌め込まれている。これにより、外側リング部５２と嵌合リング部１１ｂとが密着されてシールされている。
【００３０】
上記構成の車両用灯具１０において、車両前方へロービーム配光パターンを形成する場合は、フィラメント３３へ給電して光源３１を点灯させる。これにより、車両前方には、フィラメント３３の光によってロービーム配光パターンが形成される。
【００３１】
なお、本例では、光源３１は、１つのフィラメント（第１光源の一例）で構成されているが、この例に限られない。例えば、光源は、ロービーム用の光源である第１フィラメントと、ハイビーム用の光源である第２フィラメントとにより構成しても良い。また、ガラス管３５の灯具前方に設けたブラックトップ３４は設けなくても良い。
【００３２】
次に、車両用灯具１０の点灯時における光路を説明する。
図３は、車両用灯具における光路を示す図であって、（ａ）は概略横断面図、（ｂ）は図２における概略Ｂ−Ｂ線縦断面図である。
【００３３】
図３の（ａ）及び図３の（ｂ）に示すように、車両用灯具１０の灯具ユニット１３の光源３１を点灯させると、光源３１から発せられた光の一部である光Ｌ１は、第１リフレクタ２２の第１反射面４１によって灯具前方へ照射される。また、光源３１から投影レンズ２４の入射面２４ａに向けて直接入射された光の一部である光Ｌ２は、投影レンズ２４の出射面２４ｂから灯具前方へ照射される。
【００３４】
さらに、光源３１から絶縁開口部４２に向かう方向である光源３１の取付箇所近傍に向けて発せられた光の一部である光Ｌ３は、第２リフレクタ２５の第２反射面４５によって投影レンズ２４の入射面２４ａに向けて反射され、投影レンズ２４の出射面２４ｂから灯具前方へ照射される。
【００３５】
このとき、光源３１の取付箇所近傍に向けて発せられて第２反射面４５で反射された光Ｌ３は、投影レンズ２４の後方焦点Ｆを通過せずに、後方焦点Ｆの上方を通過して投影レンズ２４に入射される。また、フィラメント３３を点灯させてロービーム配光パターンを形成する場合は、光源３１の取付箇所近傍に向けて発せられて第２反射面４５で反射された光Ｌ３は、ロービーム配光パターンのカットオフラインより下方に照射される。なお、ここでいうカットオフラインより下方とは、２５ｍ前方の鉛直仮想スクリーンに投影された配光パターンにおけるカットオフラインより下方であることを意味する。
【００３６】
ところで、ハロゲンランプや放電バルブを備えた車両用灯具は、法規により、光源から絶縁距離を確保するために、光源とその周囲の部材との間に所定の間隔を空ける必要がある。このため、一般的には、光源の周囲の所定間隔部分の領域に反射面を設けることができず、光源の取付箇所近傍に向けて発せられる光源からの光を照明光として利用することが困難であった。
【００３７】
これに対して、本実施形態に係る車両用灯具１０では、絶縁開口部４２と光源３１との間に配置され、光源３１から発せられた光の一部を投影レンズ２４に向けて反射する第２反射面４５を設けたことにより、これまで照明光として利用することが困難であった光源３１の取付箇所近傍に向けて発せられる光Ｌ３を照明光として有効利用することができる。
【００３８】
また、第２リフレクタ２５の第２反射面４５は、投影レンズ２４の後方焦点Ｆを通過せずに投影レンズ２４に入射するように、光源３１から発せられた光Ｌ３を反射する。したがって、第２リフレクタ２５の第２反射面４５によって反射されて投影レンズ２４の入射面２４ａに入射された光Ｌ３は、投影レンズ２４によって集光されずに拡散されつつ灯具前方に反射される。このため、これまで有効利用されていなかった光源３１の取付箇所近傍に向けて発せられる光Ｌ３を、灯具前方の広範囲を照らす光として有効利用することができる。
【００３９】
また、投影レンズ２４の後方焦点Ｆは、第１リフレクタ２２の第１反射面４１が反射する略平行光と略平行で光源３１を通過する仮想線Ｖよりも下方側に配置されている。したがって、光源３１から発せられる光の一部は、投影レンズ２４の後方焦点Ｆの上方を通過して投影レンズ２４の入射面２４ａに直接入射される。このように入射された光は、投影レンズ２４の出射面２４ｂから下方側に向けて出射されるため、この出射光に起因するグレアの発生が抑制される。
【００４０】
また、第２リフレクタ２５の第２反射面４５は、ロービーム配光パターンのカットオフラインより下方に光が照射されるように、フィラメント３３から発せられた光の一部を投影レンズ２４に向けて反射する。したがって、以前では、灯具前方を照射する光として有効利用できていなかった光源３１の取付箇所近傍に向けて発せられる光Ｌ３の多くを、ロービーム配光パターンを形成する光として有効利用することができる。
【００４１】
特に、灯具を前方から見て、第２リフレクタ２５の第２反射面４５の内周部は、絶縁開口部４２の外周部よりも内側に形成されている。したがって、以前では、灯具前方を照射する光として有効利用できていなかった光源３１の取付箇所近傍に向けて発せられる光Ｌ３の多くを、灯具前方を照射する光として有効利用しやすくなる。
【００４２】
また、上記実施形態では、第１リフレクタ２２によってロービーム配光パターンのカットオフラインを形成したが、フィラメント３３の光を遮蔽するシェードを設けてカットオフラインを形成しても良い。
【符号の説明】
【００４３】
１０：車両用灯具、２１：光源部材、２２：第１リフレクタ（第１反射部材の一例）、２４：投影レンズ、２５：第２リフレクタ（第２反射部材の一例）、３１：光源、３３：フィラメント（第１光源の一例）、４１：第１反射面、４２：絶縁開口部、４５：第２反射面、Ｖ：仮想線、Ｆ：後方焦点
【図１】
2015022961.tif 000003
【図２】
2015022961.tif 000004
【図３】
2015022961.tif 000005